【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
被検眼の同一位置を同一方向に複数回走査するように制御された測定光に基づいて得られた前記被検眼の断層を示す断層データを複数含むデータセットであって、互いに同一の断層データを含まない複数のデータセット間からモーションコントラスト画像を生成することなく、前記被検眼の所定位置における前記被検眼の深さ方向の断面を示す少なくとも１のモーションコントラスト画像であって、前記複数のデータセットのそれぞれから少なくとも１のモーションコントラスト画像を生成することにより、前記複数のデータセットに対応する複数のモーションコントラスト画像を生成する第１生成手段と、
前記複数のモーションコントラスト画像を用いて、前記被検眼の所定位置における前記被検眼の深さ方向の断面を示す１のモーションコントラスト画像を生成する第２生成手段と、
を備えることを特徴とする情報処理装置。
【請求項２】
再走査が必要な断層データを判定する判定手段と、
前記複数のデータセットのうち、前記判定手段により再走査が必要であると判定された断層データが含まれるデータセットを決定する決定手段と、
前記決定手段により決定されたデータセットに含まれる数の断層データのみを再走査により再取得する再取得手段と、
を更に備えることを特徴とする請求項１に記載の情報処理装置。
【請求項３】
前記断層データの取得の成否を判定する判定手段と、
前記判定手段により取得失敗と判定された断層像データが含まれるデータセットを決定する決定手段と、を更に備え、
前記第２生成手段は、前記複数のデータセットのうち、前記決定手段により決定されたデータセット以外のデータセットから得られたモーションコントラスト画像に基づいて前記被検眼の所定位置における断面を示す１のモーションコントラスト画像を生成することを特徴とする請求項１に記載の情報処理装置。
【請求項４】
前記複数のデータセットに含まれる複数の断層データのそれぞれは、前記被検眼の同一位置を走査するように制御された測定光に基づいて得られた前記被検眼の断層を示す断層データであることを特徴とする請求項１乃至３のいずれか１項に記載の情報処理装置。
【請求項５】
前記複数のデータセットのうち異なるデータセットに含まれる断層データは、前記被検眼の断層の深さ方向に直交するＸＹ平面におけるＸ方向またはＹ方向の少なくともいずれか一方の方向において異なる位置を走査するように制御された測定光に基づいて得られた断層データであることを特徴とする請求項１乃至３のいずれか１項に記載の情報処理装置。
【請求項６】
前記複数のデータセットそれぞれに含まれる断層データの数は等しいことを特徴とする請求項１乃至５の何れか１項に記載の情報処理装置。
【請求項７】
前記複数のデータセットそれぞれに含まれる断層データの数は２または３であることを特徴とする請求項１乃至６のいずれか１項に記載の情報処理装置。
【請求項８】
前記第１生成手段は、前記判定手段により再走査が必要であると判定された断層データを含まないデータセットからモーションコントラスト画像を生成し、且つ、前記再走査により取得された断層データからなるデータセットからモーションコントラスト画像を生成し、
前記第２生成手段は、前記第１生成手段により生成された複数のモーションコントラスト画像を合成することで前記１のモーションコントラスト画像を生成することを特徴とする請求項２に記載の情報処理装置。
【請求項９】
前記第１生成手段は、再走査が必要であると判定された断層データが含まれるデータセットをモーションコントラスト画像の生成に用いないことを特徴とする請求項８に記載の情報処理装置。
【請求項１０】
前記第２生成手段は、前記複数のデータセットからそれぞれから得られた前記複数のモーションコントラスト画像を合成することで、前記１のモーションコントラスト画像を生成することを特徴とする請求項１乃至９のいずれか１項に記載の情報処理装置。
【請求項１１】
前記第２生成手段は、前記複数のモーションコントラスト画像の間のモーションコントラストに関する統計値を用いて、前記１のモーションコントラスト画像を生成することを特徴とする請求項１乃至１０のいずれか１項に記載の情報処理装置。
【請求項１２】
操作者からの指示により設定された撮像条件を用いて、前記測定光が前記被検眼の同一位置を同一方向に複数回走査することで１回のクラスタ走査とするクラスタ走査を行うように、前記測定光を制御するための撮影制御手段を更に備えることを特徴とする請求項１乃至１１のいずれか１項に記載の情報処理装置。
【請求項１３】
異なる時間に前記被検眼を撮影して得た複数の眼底画像を用いて移動量を算出する移動量算出手段を更に備え、
前記撮影制御手段は、前記算出された移動量を用いて、１のクラスタ走査と次のクラスタ走査との間の走査位置を補正するように、前記測定光を制御することを特徴とする請求項１２に記載の情報処理装置。
【請求項１４】
前記被検眼において前記測定光を走査する走査手段と、前記測定光を照射した前記被検眼からの戻り光と参照光とを合波して得た干渉光を検出する検出手段と、を備えるＯＣＴ装置と、
請求項１乃至１３のいずれか１項に記載の情報処理装置と、
を備えることを特徴とするシステム。
【請求項１５】
被検眼の同一位置を同一方向に複数回走査するように制御された測定光に基づいて得られた前記被検眼の断層を示す断層データを複数含むデータセットであって、互いに同一の断層データを含まない複数のデータセット間からモーションコントラスト画像を生成することなく、前記被検眼の所定位置における前記被検眼の深さ方向の断面を示す少なくとも１のモーションコントラスト画像であって、前記複数のデータセットのそれぞれから少なくとも１のモーションコントラスト画像を生成することにより、前記複数のデータセットに対応する複数のモーションコントラスト画像を生成する第１生成工程と、
前記複数のモーションコントラスト画像を用いて、前記被検眼の所定位置における前記被検眼の深さ方向の断面を示す１のモーションコントラスト画像を生成する第２生成工程と、
を含むことを特徴とする情報処理方法。
【請求項１６】
請求項１５に記載の情報処理方法の各工程をコンピュータに実行させることを特徴とするプログラム。
【手続補正２】
【補正対象書類名】明細書
【補正対象項目名】０００８
【補正方法】変更
【補正の内容】
【０００８】
開示の情報処理装置の一つは、
被検眼の同一位置を同一方向に複数回走査するように制御された測定光に基づいて得られた前記被検眼の断層を示す断層データを複数含むデータセットであって、互いに同一の断層データを含まない複数のデータセット間からモーションコントラスト画像を生成することなく、前記被検眼の所定位置における前記被検眼の深さ方向の断面を示す少なくとも１のモーションコントラスト画像であって、前記複数のデータセットのそれぞれから少なくとも１のモーションコントラスト画像を生成することにより、前記複数のデータセットに対応する複数のモーションコントラスト画像を生成する第１生成手段と、
前記複数のモーションコントラスト画像を用いて、前記被検眼の所定位置における前記被検眼の深さ方向の断面を示す１のモーションコントラスト画像を生成する第２生成手段と、を備える。
【手続補正３】
【補正対象書類名】明細書
【補正対象項目名】０００９
【補正方法】変更
【補正の内容】
【０００９】
また、開示の情報処理方法の一つは、
被検眼の同一位置を同一方向に複数回走査するように制御された測定光に基づいて得られた前記被検眼の断層を示す断層データを複数含むデータセットであって、互いに同一の断層データを含まない複数のデータセット間からモーションコントラスト画像を生成することなく、前記被検眼の所定位置における前記被検眼の深さ方向の断面を示す少なくとも１のモーションコントラスト画像であって、前記複数のデータセットのそれぞれから少なくとも１のモーションコントラスト画像を生成することにより、前記複数のデータセットに対応する複数のモーションコントラスト画像を生成する第１生成工程と、
前記複数のモーションコントラスト画像を用いて、前記被検眼の所定位置における前記被検眼の深さ方向の断面を示す１のモーションコントラスト画像を生成する第２生成工程と、を含む。